(57)【要約】【課題】回転側ロータリトランスと固定側ロータリトランスとのギャップの精度の改善することを課題とする。【解決手段】固定ドラム１１と、回転磁気ヘッド１２が固定してある回転ドラム１３と、回転ドラム１３を回転させるモータ１４とを有し、内部に記録用ロータリトランス対２０と再生用ロータリトランス対３０とが段を違えて設けてある。固定ドラム１１は、再生用固定側ロータリトランス３１のＺ軸方向の位置を調整するねじ式のロータリトランス高さ位置調整機構４０を有する。再生用固定側ロータリトランス３１を適宜回動させてＺ軸方向に微細に変位させて、寸法ＺＳを寸法ＺＲと等しくなるようにし、そしてから、固定ドラム１１と回転ドラム１３とを組み合わせる。これによって、記録用ロータリトランス対２０のギャップＧ１と再生用ロータリトランス対３０のギャップＧ２とは等しくなる。【選択図】        図２
2004310835.tif 000002
【特許請求の範囲】
【請求項１】
固定側ロータリトランスが固定してある固定ドラムと、回転磁気ヘッドと回転側ロータリトランスとが固定してある回転ドラムと、該回転ドラムを回転させるモータとを有し、且つ、該固定側ロータリトランスと該回転側ロータリトランスとが対向するロータリトランス対を有する回転ドラム装置において、
該固定側ロータリトランスの固定ドラムに対する高さ位置、或いは該回転側ロータリトランスの回転ドラムに対する高さ位置を調整するロータリトランス高さ位置調整機構を備えてなる構成としたことを特徴とする回転ドラム装置。
【請求項２】
高さを異にして第１、第２の固定側ロータリトランスが固定してある固定ドラムと、回転磁気ヘッドが固定してあり、且つ、高さを異にして第１、第２の回転側ロータリトランスとが固定してある回転ドラムと、該回転ドラムを回転させるモータとを有し、且つ、第１の固定側ロータリトランスと第１の回転側ロータリトランスとが対向する第１のロータリトランス対と、第２の固定側ロータリトランスと第２の回転側ロータリトランスとが対向する第２のロータリトランス対とを有する構成の回転ドラム装置であって、
該第１の固定側ロータリトランスの固定ドラムに対する高さ位置、或いは該第１の回転側ロータリトランスの回転ドラムに対する高さ位置を調整するロータリトランス高さ位置調整機構を備えてなる構成としたことを特徴とする回転ドラム装置。
【請求項３】
請求項１又は請求項２に記載の回転ドラム装置において、
上記ロータリトランス高さ位置調整機構は、上記ロータリトランスの中心開口の雌ねじ部が上記固定ドラム或いは回転ドラムの雄ねじ部に螺合している構造としたことを特徴とする回転ドラム装置。
【請求項４】
請求項１又は請求項２に記載の回転ドラム装置において、
上記ロータリトランス高さ位置調整機構は、内周側と外周側とに、逆ねじの関係で且つピッチが相違するねじを有する環状の中間ねじ部材が、その内周側のねじを上記固定ドラム或いは回転ドラムの雄ねじ部に螺合して設けてあり、且つ、上記ロータリトランスの中心開口の雌ねじ部が該中間ねじ部材の外周側のねじに螺合してあり、該中間ねじ部材とロータリトランスとが差動ねじの関係にある構造としたことを特徴とする回転ドラム装置。
【請求項５】
請求項１又は請求項２に記載の回転ドラム装置において、
上記ロータリトランス高さ位置調整機構は、回動されて、上記固定ドラム或いは回転ドラムに対して該回転ドラム装置の軸線方向に変位されるカム部材を有し、該カム部材にロータリトランスが固定してある構成としたことを特徴とする回転ドラム装置。
【請求項６】
請求項３に記載の回転ドラム装置において、
上記ロータリトランス高さ位置調整機構は、上記雌ねじ部が別のねじ部材として、上記ロータリトランスの中心開口部に取り付けられた構造としたことを特徴とする回転ドラム装置。
【発明の詳細な説明】
【０００１】
【発明の属する技術分野】
本発明は回転ドラム装置に係り、特に磁気テープに情報の記録再生を行う回転ドラム装置に関する。
【０００２】
【従来の技術】
従来の回転ドラム装置は、固定側ロータリトランスが固定してある固定ドラムと、回転磁気ヘッドと回転側ロータリトランスとが固定してある回転ドラムと、固定ドラムの下側に固定してあるモータとよりなり、回転ドラムが、固定ドラムに支持されているモータ回転軸の上部に圧入されて固定してあり、回転側ロータリトランスと固定側ロータリトランスとが狭いギャップで対向している構成である。回転側ロータリトランスと固定側ロータリトランスとの間のギャップは、再生及び記録のエラーレート等に関係しており、重要である。
【０００３】
【特許文献】
特開平６−１３９５０５号公報
【０００４】
【発明が解決しようとする課題】
従来の回転ドラム装置は、ロータリトランスのギャップが各構成部品の寸法精度のばらつき及び組立て精度のばらつきによって影響を受け易い構造であり、ロータリトランスのギャップの精度の向上を図ることが難しかった。
【０００５】
そこで、本発明は、上記課題を解決した回転ドラム装置を提供することを目的とする。
【０００６】
【課題を解決するための手段】
請求項１の発明は、固定側ロータリトランスが固定してある固定ドラムと、回転磁気ヘッドと回転側ロータリトランスとが固定してある回転ドラムと、該回転ドラムを回転させるモータとを有し、且つ、該固定側ロータリトランスと該回転側ロータリトランスとが対向するロータリトランス対を有する回転ドラム装置において、該固定側ロータリトランスの固定ドラムに対する高さ位置、或いは該回転側ロータリトランスの回転ドラムに対する高さ位置を調整するロータリトランス高さ位置調整機構を備えてなる構成としたものである。
【０００７】
ロータリトランス高さ位置調整機構によってロータリトランス高さ位置が調整した状態で、固定ドラムと回転ドラムとを組み合わせることによって、各部品の寸法精度及び組立て精度のばらつきが修正されて、ロータリトランス対のギャップの精度の向上を図ることが可能となる。
【０００８】
請求項２の発明は、高さを異にして第１、第２の固定側ロータリトランスが固定してある固定ドラムと、回転磁気ヘッドが固定してあり、且つ、高さを異にして第１、第２の回転側ロータリトランスとが固定してある回転ドラムと、該回転ドラムを回転させるモータとを有し、且つ、第１の固定側ロータリトランスと第１の回転側ロータリトランスとが対向する第１のロータリトランス対と、第２の固定側ロータリトランスと第２の回転側ロータリトランスとが対向する第２のロータリトランス対とを有する構成の回転ドラム装置であって、該第１の固定側ロータリトランスの固定ドラムに対する高さ位置、或いは該第１の回転側ロータリトランスの回転ドラムに対する高さ位置を調整するロータリトランス高さ位置調整機構を備えてなる構成としたものである。
【０００９】
ロータリトランス高さ位置調整機構によってロータリトランス高さ位置が調整した状態で、固定ドラムと回転ドラムとを組み合わせることによって、各部品の寸法精度及び組立て精度のばらつきが修正されて、第１の回転側ロータリトランス対のギャップと第２のロータリトランス対のギャップとが等しくなるように出来る。
【００１０】
請求項３の発明は、請求項１又は請求項２に記載の回転ドラム装置において、上記ロータリトランス高さ位置調整機構は、上記ロータリトランスの中心開口の雌ねじ部が上記固定ドラム或いは回転ドラムの雄ねじ部に螺合している構造としたものである。
【００１１】
雌ねじ部がロータリトランスに形成してあり、雄ねじ部が固定ドラム或いは回転ドラムに形成してあるため、特別の部品を追加しないで構成することが出来る。
【００１２】
請求項４の発明は、請求項１又は請求項２に記載の回転ドラム装置において、上記ロータリトランス高さ位置調整機構は、内周側と外周側とに、逆ねじの関係で且つピッチが相違するねじを有する環状の中間ねじ部材が、その内周側のねじを上記固定ドラム或いは回転ドラムの雄ねじ部に螺合して設けてあり、且つ、上記ロータリトランスの中心開口の雌ねじ部が該中間ねじ部材の外周側のねじに螺合してあり、該中間ねじ部材とロータリトランスとが差動ねじの関係にある構造としたものである。
【００１３】
中間ねじ部材とロータリトランスとが差動ねじの関係にあるので、より精密な調整が可能である。
【００１４】
請求項５の発明は、請求項１又は請求項２に記載の回転ドラム装置において、
上記ロータリトランス高さ位置調整機構は、回動されて、上記固定ドラム或いは回転ドラムに対して該回転ドラム装置の軸線方向に変位されるカム部材を有し、該カム部材にロータリトランスが固定してある構成としたものである。
【００１５】
ロータリトランス全体がカム部材によって支持されている状態で調整が可能である。
【００１６】
請求項６の発明は、請求項３に記載の回転ドラム装置において、上記ロータリトランス高さ位置調整機構は、上記雌ねじ部が別のねじ部材として、上記ロータリトランスの中心開口部に取り付けられた構造としたものである。
【００１７】
ロータリトランスに雌ねじを切削する必要がなく、ロータリトランスを傷める心配がない。
【００１８】
【発明の実施の形態】
図１及び図２は本発明の一実施例になる回転ドラム装置１０を示す。固定ドラム１１と、回転磁気ヘッド１２が固定してある回転ドラム１３と、回転ドラム１３を回転させるモータ１４とを有し、内部に記録用ロータリトランス対２０と再生用ロータリトランス対３０とが高さを異にして設けてある構成である。回転ドラム１３がモータ１４の回転軸１５に圧入されて固定してある。Ｚは回転ドラム装置１０の軸線である。
【００１９】
記録用ロータリトランス対２０は、固定ドラム１１の筒部１１ｂの上端面に固定してある記録用固定側ロータリトランス２１と、回転ドラム１３のベース部１３ａに固定してある記録用回転側ロータリトランス２２とよりなり、ギャップＧ１を有する。
【００２０】
再生用ロータリトランス対３０は、固定ドラム１１のベース部１１ａに固定してある再生用固定側ロータリトランス３１と、回転ドラム１３の筒部１３ｂの下端面に固定してある再生用回転側ロータリトランス３２とよりなり、ギャップＧ２を有する。
【００２１】
ギャップＧ１、Ｇ２は、共に等しいことが重要であり、例えば３０μｍである。ここで、ギャップは、回転ドラム１３を回転軸１５に圧入したときの最終位置によって決定される。また、接近したロータリトランス間のギャップと、ロータリトランス間のインダクタンスＬとの間には、ギャップが狭くなるとインダクタンスＬが高くなる相関関係があり、インダクタンスＬの値よりそのときのギャップの値を知ることが出来る。回転ドラム１３の回転軸１５への圧入は特殊な設備を使用して、回転側ロータリトランスと固定側ロータリトランスとの間のインダクタンスをモニターしつつ少しずつ行われ、圧入は回転側ロータリトランスと固定側ロータリトランスとの間のインダクタンスが所定の値となったときに終了される。
【００２２】
固定ドラム１１のベース部１１ａには、再生用固定側ロータリトランス３１のＺ軸方向の位置を調整するロータリトランス高さ位置調整機構４０が設けてある。この調整機構４０は、ねじを利用した構造であり、図２の一部に拡大して示すように、固定ドラム１１の筒部１１ｂの基部の周囲の雄ねじ部４１と、再生用固定側ロータリトランス３１の中心開口の部分の雌ねじ部４２とよりなり、雌ねじ部４２が雄ねじ部４１に螺合している構造である。調整機構４０は、特別の部品を追加しないで構成される。
【００２３】
回転ドラム装置１０の組立ては以下のように行う。先ず、組み合わせられる回転ドラム１３と固定ドラム１１とを準備する。次いで、回転ドラム１３の記録用回転側ロータリトランス２２と再生用回転側ロータリトランス３２との間のＺ方向の寸法ＺＲを測定する。次いで、固定ドラム１１について、記録用固定側ロータリトランス２１と再生用固定側ロータリトランス３１との間のＺ方向の寸法ＺＳを測定し、再生用固定側ロータリトランス３１を適宜回動させて、再生用固定側ロータリトランス３１をＺ軸に対して垂直の面を維持しつつＺ軸方向に微細に変位させて、寸法ＺＳがミクロン単位で寸法ＺＲと等しくなるようにし、雌ねじ部４２と雄ねじ部４１との間を接着剤でもって接着する。この後に、回転ドラム１３を回転軸１５に圧入する。
【００２４】
これによって、各固定ドラム１１、回転ドラム１３、ロータリトランス２１，２２，３１，３２の寸法精度及びロータリトランス２１，２２，３１，３２の固定ドラム１１、回転ドラム１３への組立て精度のばらつきが修正されて、記録用ロータリトランス対２０のギャップＧ１と再生用ロータリトランス対３０とギャップＧ２とが等しくされた回転ドラム装置１０が完成する。この回転ドラム装置１０は、再生のエラーレートと記録のエラーレートとが同じくされてバランスしている特性を有する。
【００２５】
図３は第１の変形例になるロータリトランス高さ位置調整機構４０Ａを示す。ロータリトランス高さ位置調整機構４０Ａは、雌ねじ部４２を有するねじ部品５０を再生用固定側ロータリトランス３１に接着等で固定してある構成である。再生用固定側ロータリトランス３１に雌ねじを切削する必要がなく、再生用固定側ロータリトランス３１を傷める心配がない。
【００２６】
図４は第２の変形例になるロータリトランス高さ位置調整機構４０Ｂを示す。ロータリトランス高さ位置調整機構４０Ｂは、差動ねじを利用した構造であり、リング状の中間ねじ部材６０を有する。中間ねじ部材６０の内周側のねじ６１はピッチがＰ１の右ねじであり、外周側のねじ６２はピッチがＰ２の左ねじであり、ピッチＰ１とピッチＰ２とは少しの差がある。
【００２７】
この調整機構４０Ｂによれば、中間ねじ部材６０と再生用固定側ロータリトランス３１とを互いに逆方向に適宜回動させることによって、再生用固定側ロータリトランス３１の高さ位置が微調整される。また、再生用固定側ロータリトランス３１の固定ドラム１１に対する周方向の位置を変えずに、再生用固定側ロータリトランス３１の高さ位置が微調整され、再生用固定側ロータリトランス３１の固定ドラム１１に対する周方向の位置が決められている場合であっても問題がない。
【００２８】
図５は第３の変形例になるロータリトランス高さ位置調整機構４０Ｃを示す。調整機構４０Ｃはカムを利用した構造であり、固定ドラム１１Ｃのベース部１１Ｃａの上面には、図６及び図７（Ａ）、（Ｂ），（Ｃ）に示すように、環状のカム１１Ｃｃが形成してある。環状のカム１１Ｃｃは、傾斜角度がαである三つの傾斜面１１Ｃｃ１、１１Ｃｃ２、１１Ｃｃ３が等角度間隔で配置してある。１１Ｃｄは凹の平面、１１Ｃｅは凸の平面である。
【００２９】
７０は環状のカム部材であり、下面に、上記の環状のカム１１Ｃｃに対応するカムが形成してあり、傾斜角度がαである傾斜面７１と、凸の平面７２と、凹の平面７３とが、三つずつ等角度間隔で配置してある。環状のカム部材７０の上面には再生用固定側ロータリトランス３１が接着固定してある。環状のカム部材７０が図５及び図６に示すように、傾斜面７１が傾斜面１１Ｃｃ１、１１Ｃｃ２、１１Ｃｃ３と接触し、凸の平面７２が凹の平面１１Ｃｄと接触し、凹の平面７３が凸の平面１１Ｃｅと接触した状態で、固定ドラム１１Ｃのベース部１１Ｃａ上に載っている。
【００３０】
再生用固定側ロータリトランス３１を上方からみて時計方向に適宜回動させると、環状のカム部材７０が再生用固定側ロータリトランス３１と一体的に回動され、環状のカム部材７０はベース部１１Ｃａの上面に接触しつつ回動され、再生用固定側ロータリトランス３１は、Ｚ軸に対して垂直の面を維持しつつＺ１方向に微細に変位させて寸法ＺＳがミクロン単位で所定の値に調整される。この状態で環状のカム部材７０はベース部１１Ｃａに接着剤でもって接着される。
【００３１】
再生用固定側ロータリトランス３１は全体がカム部材７０に支持されており、安定である。
【００３２】
図８は第４の変形例になるロータリトランス高さ位置調整機構４０Ｄを示す。調整機構４０Ｄは、回転ドラム１３Ｄに再生用回転側ロータリトランス３２の高さ位置を調整するように設けてある。この調整機構４０Ｄは、図８の一部に拡大して示すように、回転ドラム１３Ｄの筒部１３Ｄｂの下部の周囲の雄ねじ部８１と、再生用回転側ロータリトランス３２の中心開口の部分の雌ねじ部８２とよりなり、雌ねじ部８２が雄ねじ部８１に螺合している構造である。８３はシールリングである。再生用回転側ロータリトランス３２を適宜回動させることによって、再生用回転側ロータリトランス３２がＺ軸に対して垂直の面を維持しつつＺ軸方向に微細に変位させて、寸法ＺＲをミクロン単位で調整して、固定ドラムの記録用固定側ロータリトランスと再生用固定側ロータリトランスとの間のＺ方向の寸法ＺＳと等しくなるようにして、雌ねじ部８２と雄ねじ部８１との間を接着剤でもって接着する。
【００３３】
なお、ロータリトランス高さ位置調整機構は、一対のロータリトランスが組み込んである構成の回転ドラム装置にも適用出来、適用して効果がある。
【００３４】
【発明の効果】
上述の如く、請求項１の発明は、固定側ロータリトランスが固定してある固定ドラムと、回転磁気ヘッドと回転側ロータリトランスとが固定してある回転ドラムと、該回転ドラムを回転させるモータとを有し、且つ、該固定側ロータリトランスと該回転側ロータリトランスとが対向するロータリトランス対を有する回転ドラム装置において、該固定側ロータリトランスの固定ドラムに対する高さ位置、或いは該回転側ロータリトランスの回転ドラムに対する高さ位置を調整するロータリトランス高さ位置調整機構を備えてなる構成としたものであるため、ロータリトランス高さ位置調整機構によってロータリトランス高さ位置が調整した状態で、固定ドラムと回転ドラムとを組み合わせることによって、各部品の寸法精度及び組立て精度のばらつきが修正されて、ロータリトランス対のギャップの精度の向上を図ることが出来る。
【００３５】
請求項２の発明は、高さを異にして第１、第２の固定側ロータリトランスが固定してある固定ドラムと、回転磁気ヘッドが固定してあり、且つ、高さを異にして第１、第２の回転側ロータリトランスとが固定してある回転ドラムと、該回転ドラムを回転させるモータとを有し、且つ、第１の固定側ロータリトランスと第１の回転側ロータリトランスとが対向する第１のロータリトランス対と、第２の固定側ロータリトランスと第２の回転側ロータリトランスとが対向する第２のロータリトランス対とを有する構成の回転ドラム装置であって、該第１の固定側ロータリトランスの固定ドラムに対する高さ位置、或いは該第１の回転側ロータリトランスの回転ドラムに対する高さ位置を調整するロータリトランス高さ位置調整機構を備えてなる構成としたものであるため、ロータリトランス高さ位置調整機構によってロータリトランス高さ位置が調整した状態で、固定ドラムと回転ドラムとを組み合わせることによって、各部品の寸法精度及び組立て精度のばらつきが修正されて、第１の回転側ロータリトランス対のギャップと第２のロータリトランス対のギャップとが等しくなるように出来る。
【００３６】
請求項３の発明は、請求項１又は請求項２に記載の回転ドラム装置において、上記ロータリトランス高さ位置調整機構は、上記ロータリトランスの中心開口の雌ねじ部が上記固定ドラム或いは回転ドラムの雄ねじ部に螺合している構造としたものであるため、特別の部品を追加しないで構成することが出来る。
【００３７】
請求項４の発明は、請求項１又は請求項２に記載の回転ドラム装置において、上記ロータリトランス高さ位置調整機構は、内周側と外周側とに、逆ねじの関係で且つピッチが相違するねじを有する環状の中間ねじ部材が、その内周側のねじを上記固定ドラム或いは回転ドラムの雄ねじ部に螺合して設けてあり、且つ、上記ロータリトランスの中心開口の雌ねじ部が該中間ねじ部材の外周側のねじに螺合してあり、該中間ねじ部材とロータリトランスとが差動ねじの関係にある構造としたものであるため、より精密な調整を行うことが出来、よって、ロータリトランス対のギャップの精度の向上をより良好に図ることが出来る。
【００３８】
請求項５の発明は、請求項１又は請求項２に記載の回転ドラム装置において、上記ロータリトランス高さ位置調整機構は、回動されて、上記固定ドラム或いは回転ドラムに対して該回転ドラム装置の軸線方向に変位されるカム部材を有し、該カム部材にロータリトランスが固定してある構成としたものであるため、ロータリトランス全体がカム部材によって安定に支持された状態で調整することが出来る。
【００３９】
請求項６の発明は、請求項３に記載の回転ドラム装置において、上記ロータリトランス高さ位置調整機構は、上記雌ねじ部が別のねじ部材として、上記ロータリトランスの中心開口部に取り付けられた構造としたものであるため、ロータリトランスに雌ねじを切削する必要がなく、ロータリトランスを傷める心配がないように出来る。
【図面の簡単な説明】
【図１】本発明の一実施例の回転ドラム装置を示す図である。
【図２】図１の回転ドラム装置を分解して示す斜視図である。
【図３】第１の変形例になるロータリトランス高さ位置調整機構を示す図である。
【図４】第２の変形例になるロータリトランス高さ位置調整機構を示す図である。
【図５】第３の変形例になるロータリトランス高さ位置調整機構を有する固定ドラムを示す図である。
【図６】第３の変形例になるロータリトランス高さ位置調整機構を示す図である。
【図７】固定ドラムの一部を示す図である。
【図８】第４の変形例になるロータリトランス高さ位置調整機構を有する回転ドラムを示す図である。
【符号の説明】
１０  回転ドラム装置
１１  固定ドラム
１１ａ  ベース部
１１ｂ  筒部
１１Ｃｃ  環状のカム
１１Ｃｃ１、１１Ｃｃ２、１１Ｃｃ３  傾斜面
１２  回転磁気ヘッド
１３  回転ドラム
１３ａ  ベース部
１３ｂ  筒部
１４  モータ
２０  記録用ロータリトランス対
２１  記録用固定側ロータリトランス
２２  記録用回転側ロータリトランス
３０  再生用ロータリトランス対
３１  再生用固定側ロータリトランス
３２  再生用回転側ロータリトランス
４０、４０Ａ〜４０Ｄ  ロータリトランス高さ位置調整機構
４１  雄ねじ部
４２  雌ねじ部
５０  ねじ部品
６０  中間ねじ部材
７０  環状のカム部材
７１  傾斜面
８１  雄ねじ部
８２  雌ねじ部
【図１】
2004310835.tif 000003
【図２】
2004310835.tif 000004
【図３】
2004310835.tif 000005
【図４】
2004310835.tif 000006
【図５】
2004310835.tif 000007
【図６】
2004310835.tif 000008
【図７】
2004310835.tif 000009
【図８】
2004310835.tif 000010